【事件の表示】
　特願２０００−６１１２６０「プレゼンテーションボードデジタイザー」拒絶査定不服審判事件〔平成１２年１０月１９日国際公開、ＷＯ００／６２２６８、平成１４年１２月　３日国内公表、特表２００２−５４１６０３〕について、次のとおり審決する。
【結　論】
　本件審判の請求は、成り立たない。
【理　由】
第１　手続の経緯及び本願発明
　
１．手続の経緯
　
　本願は，平成１２年４月１０日（パリ条約による優先権主張　１９９９年４月１４日，イスラエル）を国際出願日とする出願であって，平成１８年９月４日付けで拒絶査定され，同年１２月８日に拒絶査定不服審判の請求がなされ，平成１９年１月９日付けで手続補正書の提出がなされ，平成２１年１１月１０日付けで拒絶の理由が当審から通知され，平成２２年５月１７日付けで意見書とともに手続補正書の提出がなされたものである。
　
２．本願発明
　
　本願の請求項１に係る発明（以下「本願発明」という。）は，平成２２年５月１７日付け手続補正書の特許請求の範囲の請求項１に記載された事項により特定される次のとおりのものである。
　
「【請求項１】　ボードまたはスクリーン上のハンドヘルド装置の作動ストロークをデジタル化するための処理システムが補充されたボードまたはスクリーンとともに使用するハンドヘルド装置であって，
　　（ａ）ほぼ円筒状の孔と連通する中央オリフィスを有するハウジングの末端部で終端する孔を内部に備え，前記中央オリフィスから作動先端部が延伸する取り外し可能な作動器具の本体の一部を前記中央オリフィスを介して受け入れ解放するハウジングであって，前記作動器具が，ドローイング器具およびアノテーション器具からなるグループから選択されるハウジングと，
　　（ｂ）前記ハウジング内で前記取り外し可能な作動器具を解放可能に保持する前記ハウジング内にあるリテイナーと，
　　（ｃ）断続的な超音波信号を受信または送信するために，前記ハウジングに接続される超音波レシーバまたはトランスミッタ装置とを具備し，
　　前記超音波レシーバまたはトランスミッタ装置が，前記中央オリフィスを取り囲む筒状の超音波装置からなることを特徴とするハンドヘルド装置。」
　
第２　引用発明
　
・引用文献
　
　当審から通知した拒絶の理由で引用した特開昭６２−１６５２３４号公報（以下「引用文献」という。）には，図面とともに次の事項が記載されている。
　
（１）
「（産業上の利用分野）
　本発明は電子黒板に筆記すると同時に、筆記した字及び色、種別などを電気信号として付与することが可能な電子黒板入力用筆具に関する。」（公報第１ページ左下欄）
　
（２）
「（発明が解決しようとする問題点）
　ところが従来の前記黒板（３７）は第１２図（イ）に略示するように、手を添えて押しながら書くなど他の個所に圧力を加えると、２点接触の重心位置を接触点として電気信号変換装置が位置認識するために誤動作となる問題がある。
　また、第１２図（ロ）のように二人以上の人が同時に黒板（３７）に書いた場合にも同様、多点接触の重心位置を接触点と誤判断することになる。
　一方、多色のカラー表示をしようとしてもこの電子黒板は感圧による位置認識機能しか有していないので、第１３図に示す如くフェルトペン置き台（３１）の穴の直下に設けた使用カラー認識スイッチ（３２）の作動により行わせており、例えば黒色のペン（３６Ｂ）が引き抜かれて、これに対応する認識スイッチが開になることにより、黒色フェルトペン（３６Ｂ）を使用しているとして電子黒板の色認識回路は黒色のサインを電送するようになっている。
　しかしながらこれではフェルトペンを正しく所定のフェルトペン置き台（３１）の穴に挿入しなくては、色を誤認することは明らかであり、常に、細心の注意が必要であって煩わしく、また、ペンを出したまゝにしておくことは許されないなど実用上での問題点が多い。
　このように種々の問題点があるのに鑑みて本発明は成されたものであって、フェルトペンなどの筆具自体に色や筆具の種別に対応する信号を発せしめる機能を持たせることによって、この信号の識別可能な電子黒板と組合わせて、同時に書かれた字などを別々に認識でき、また、色別の表示も容易に行わせ得るようにし、もつて電子黒板に書かれた諸情報を正確に送信すると共に同時再描写が可能であって、カラー描画像会議システムなどへの幅広い用途に適さしめようとするものである。
（問題点を解決するための手段）
　本発明は、実施例を示す図面によっても明らかなように、高周波振動が与えられると電気信号に変換し得る圧電性を有する高分子圧電材料からなるシート（２）が取付けられた電子黒板（７）に、筆記と同時に高周波振動を行わせる電子黒板入力用筆具であって、発振回路（１７）及び電池（１８）を内蔵するホルダー本体（１５）の先部にフェルトペン先等の筆先（１６）を差し替え可能に挿着し、ホルダー本体（１５）における筆先（１６）を囲繞する周囲部に、該筆先（１６）の先端の周りに指向させて固有周波数の高周波振動波を発振し得る振動子（２１）を設けると共に、該振動子（２１）を前記発振回路（１７）に接続してなる構成としたものである。」（公報第２ページ左上欄ないし同ページ左下欄）
　
（３）
「（実施例）
　以下、本発明の実施例を添付図面にもとづき詳細に説明する。
　第１図乃至第３図は本発明の例に係る筆具（１４）の態様を示しており、後部筒口にキャップ（１９）を螺着してなるホルダー本体（１５）は細長丸筒形をなしていて、筒内部が前部筒口に臨む先部を筆先差込み部に、中央部を発振回路収納部に、後部筒口に臨む後部を電池収納部に夫々形成させていて、それ等各部に筆先（１６）例えばフェルトペン、発振回路（１７）、電池（１８）例えば乾電池が夫々収納させており、フェルトペン（１６）は差し替え可能に先端部を前方に突出させて収容し、一方、乾電池（１８）はキャップ（１９）を取り外すことによって出し入れ可能に収納されている。
　ホルダー本体（１５）の先部で前記筆先差込み部を囲繞してなるドーナツツ形空間部にはリング形の振動子（２１）例えば超音波振動子を収納させていて、ホルダー本体（１５）の側壁における適宜位置、例えば指先でホルダー本体（１５）を把持した際に母指あるいは示指が触れる位置に設けたペン動作スイッチ（２２）と、前記発振回路（１７）と、前記乾電池（１８）と、前記振動子（２１）とにより高周波発振装置を構成しており、前記ペン動作スイッチ（２２）が投入されている間、振動子（２１）が起振してフェルトペン（１６）の先端の周りに指向して、該ペン（１６）を囲繞するような筒状で高周波振動波を空中伝播させるようになっている。
　振動子（２１）は第３図に１例の構造を拡大示しているが、ワッシャ型の高分子圧電フィルム（２３）を圧電フィルム支持具（２４）によって、その内周及び外周の両周縁部において支持させると共に、前記フィルム（２３）の前方に保護ネット（２５）を張らせた構造であって、高分子圧電フィルム（２３）に対し発振回路（１７）より高周波出力を与えて振動させることが可能である。
　叙上の構造になる筆具（１４）はこれを指で保持し、この保持と同時にペン動作スイッチ（２２）が投入されて、先のフェルトペン（１６）で後述する電子黒板（７）（白板をも含んで通称される）に筆記すると、前記振動子（２１）からの振動波がペン（１６）先の周りにリング状となって電子黒板面に空中伝播し、この部分の高分子圧電材料からなるシート（２）を局部的にドーナツツ状に振動させる。」（公報第２ページ右下欄ないし第３ページ右上欄）
　
（４）
「これらの加算、減算、割算の演算はアナログ回路で実現できるが、例えばＸ電極（５Ｘ）、（５Ｘ）からの電流信号を電圧信号に変換し、かつ周波数別に区別した後の信号をＡ／Ｄ変換器でディジタル信号に変換し、マイクロコンピュータに取り込んでソフトウェアで演算処理してもよい。」（公報第４ページ右上欄）
　
（５）
「（発明の効果）
　以上述べた構成及び作用を有する本発明の効果を列挙すると下記の通りである。
　（１）本発明筆具は筆記が可能な筆先（１６）と、該筆先（１６）の先端の周りに指向させて固有周波数の高周波振動波を発振し得る振動子（２１）とを備えているので、筆記しながら筆記点の位置清報を電子黒板（７）に対し振動ひずみの状態で与えることができ、ディスプレイ装置に同じパターンの字、絵を同時に表現させることができる。
　（２）しかも筆具毎に固有の振動周波数を持たせることによって、筆具の種類、色の指定を振動周波数の別で電子黒板（７）に与えることが可能であり、多点同時表示、カラー表示が正確かつ容易に行える。
　（３）本発明筆具は従来のフェルトペンなどと同要領で取扱いが可能であるので実用に際し面倒な制約がなくなり、頗る便利である。」（公報第５ページ右上欄ないし同ページ左下欄）
　
・引用発明
　
　上記引用文献の記載によれば，引用文献には次の発明（以下「引用発明」という。）が記載されている。
　
「電子黒板に筆記すると同時に，筆記した字及び色，種別などを電気信号として付与することが可能な電子黒板入力用筆具に関し，
　高周波振動が与えられると電気信号に変換し得る圧電性を有する高分子圧電材料からなるシート（２）が取付けられた電子黒板（７）に，筆記と同時に高周波振動を行わせる電子黒板入力用筆具であって，発振回路（１７）及び電池（１８）を内蔵するホルダー本体（１５）の先部にフェルトペン先等の筆先（１６）を差し替え可能に挿着し，ホルダー本体（１５）における筆先（１６）を囲繞する周囲部に，該筆先（１６）の先端の周りに指向させて固有周波数の高周波振動波を発振し得る振動子（２１）を設けると共に，該振動子（２１）を前記発振回路（１７）に接続してなる構成とし，
　後部筒口にキャップ（１９）を螺着してなるホルダー本体（１５）は細長丸筒形をなしていて，筒内部が前部筒口に臨む先部を筆先差込み部に，中央部を発振回路収納部に，後部筒口に臨む後部を電池収納部に夫々形成させていて，それ等各部に筆先（１６）例えばフェルトペン，発振回路（１７），電池（１８）例えば乾電池が夫々収納させており，フェルトペン（１６）は差し替え可能に先端部を前方に突出させて収容し，
　ホルダー本体（１５）の先部で前記筆先差込み部を囲繞してなるドーナツツ形空間部にはリング形の振動子（２１）例えば超音波振動子を収納させていて，
　振動子（２１）が起振してフェルトペン（１６）の先端の周りに指向して，該ペン（１６）を囲繞するような筒状で高周波振動波を空中伝播させるようになっている，
　電子黒板入力用筆具。」
　
第３　対比
　
　引用発明と本願発明を比較する。
　
・引用発明の「電子黒板」，「電子黒板用入力用筆具」，「ホルダー本体」，「筆先」は，本願発明の「ボード」，「ハンドヘルド装置」，「ハウジング」，「作動器具」に相当する。
　
・引用発明の電子黒板用入力筆具は，その位置座標をデジタル信号に変換し，演算処理できるのであるから，引用発明も本願発明の「ハンドヘルド装置」のように「ボード上のハンドヘルド装置の作動ストロークをデジタル化するための処理システムが補充されたボードとともに使用する」といえる。
　
・引用発明において，
　ホルダー本体（１５）は細長丸筒形をなしていて，
筒内部
筆先差込み部
　ホルダー本体（１５）の先部で
筆先差込み部
　よって，引用発明は本願発明の「孔と連通する中央オリフィスを有するハウジングの末端部で終端する孔を内部に備え，前記中央オリフィスから作動先端部が延伸する取り外し可能な作動器具の本体の一部を前記中央オリフィスを介して受け入れ解放するハウジング」，「ハウジング内で取り外し可能な作動器具を解放可能に保持する前記ハウジング内にあるリテイナー」，「断続的な超音波信号を受信または送信するために，前記ハウジングに接続される超音波トランスミッタ装置」を備えているといえる。
　
・引用発明の「超音波振動子」が，「超音波装置」であり，断続的な超音波信号を送信する「超音波トランスミッタ装置」であることは明らかであり，また，引用発明の「リング形の振動子例えば超音波振動子」は「筆先差込み部」を「囲繞してなる」点において，引用発明の「超音波振動子」は本願発明と「中央オリフィスを取り囲む」超音波装置の点で一致する。
　
　したがって，本願発明と引用発明は，次の点で一致，相違する。
　
＜一致点＞
　ボード上のハンドヘルド装置の作動ストロークをデジタル化するための処理システムが補充されたボードとともに使用するハンドヘルド装置であって，
　　（ａ）孔と連通する中央オリフィスを有するハウジングの末端部で終端する孔を内部に備え，前記中央オリフィスから作動先端部が延伸する取り外し可能な作動器具の本体の一部を前記中央オリフィスを介して受け入れ解放するハウジングと，
　　（ｂ）前記ハウジング内で前記取り外し可能な作動器具を解放可能に保持する前記ハウジング内にあるリテイナーと，
　　（ｃ）断続的な超音波信号を受信または送信するために，前記ハウジングに接続される超音波トランスミッタ装置とを具備し，
　　前記超音波トランスミッタ装置が，前記中央オリフィスを取り囲む超音波装置からなることを特徴とするハンドヘルド装置。
　
＜相違点１＞
　本願発明も引用発明もともに「ハンドヘルド装置」が「ボード上のハンドヘルド装置の作動ストロークをデジタル化するための処理システムが補充されたボードとともに使用する」点では一致しているが，本願発明の「ハンドヘルド装置」の使用が「ボードまたはスクリーン」であるのに対して，引用発明では「スクリーン」について記載がない点。
　
＜相違点２＞
　本願発明も引用発明もともに「ハウジング」が「孔と連通する中央オリフィスを有するハウジングの末端部で終端する孔を内部に備え」に備えている点で一致しているが，本願発明の「孔」が「ほぼ円筒状」であるのに対して，引用発明の「孔」については形状について記載がない点。
　
＜相違点３＞
　本願発明は，ハウジングに関し，「作動器具」の「選択」が「ドローイング器具およびアノテーション器具からなるグループから」されるのに対して，引用発明には，「作動器具」の「選択」についても，また「選択」が「ドローイング器具およびアノテーション器具からなるグループから」されることについても記載がない点。
　
＜相違点４＞
　本願発明も引用発明もともに「ハンドヘルド装置」が「ハウジングに接続される超音波トランスミッタ装置」を具備している点で一致しているが，本願発明では「ハウジングに接続される」のが「超音波レシーバまたはトランスミッタ装置」であるのに対して，引用発明には「超音波レシーバ」について記載がない点。
　
＜相違点５＞
　本願発明も引用発明もともに「超音波装置」が「中央オリフィスを取り囲む」点で一致しているが，該「超音波装置」について本願発明は「筒状」であるのに対して，引用発明は超音波装置である超音波振動子が「リング形」である点。
　
第４　判断
　
・上記相違点について検討する。
　
＜相違点１＞及び＜相違点３＞について
　超音波装置を備えたハンドヘルド装置を，プレゼンテーションボードまたはコンピュータスクリーンとともに使用することは，格別なものではない（例えば，特開平１０−１４９２５２号公報：段落【０１３９】〜【０１４２】，【図２８】〜【図３０】（「リアプロジェクタディスプレイ」が「ボード」に，「ＣＲＴディスプレイ」，「ＬＣＤディスプレイ」が「スクリーン」に，それぞれ相当する。）参照。）から，「ハンドヘルド装置」を「ボードまたはスクリーンとともに使用する」ようにすることは，当業者が容易になし得ることである。
　また，引用発明の「筆先」は差し替え可能であるのだから，上記のように，ボードまたはスクリーンとともに使用する際に，「作動器具」を「ドローイング器具およびアノテーション器具からなるグループから選択される」ようにすることは，当業者が適宜なし得る事項に過ぎない。
　
＜相違点２＞について
　「中央オリフィス」を連通する「孔」を「ほぼ円筒状」としたことは，格別なものではなく，当業者が適宜なし得る事項にすぎない。
　
＜相違点４＞について
　超音波を使用したハンドヘルド装置において，超音波を受信するようにすることは格別なものではない（例えば，特開平１０−２９３６４３号公報：段落【００２４】〜【００３２】，【００４７】〜【００６４】，【図１】〜【図３】（「マイクロホン（３）」が「超音波レシーバ」を備えた「ハンドヘルド装置」に相当。）参照。）から，当業者が容易になし得ることである。
　
＜相違点５＞について
　ハンドヘルド装置の長手方向に対して垂直な方向に超音波を発信するようにすることは，格別なことではない（例えば，特開平１０−１４９２５２号公報（上記「＜相違点１＞及び＜相違点３＞について」で例示した文献。）：段落【００８６】〜【００８８】，【図１５】，【図１６】参照。），そして，引用発明の「超音波振動子」は高周波振動波を空中伝播できるものであるから，引用発明の「ハンドヘルド装置」において，その長手方向に対して垂直な方向に超音波を発信するように「超音波装置（超音波振動子）」を「筒状」とすることは，当業者が容易に想到しうることである。
　
　そして，本願発明のように構成したことによる効果も，引用発明から予測できる程度のものである。
　
・平成２２年５月１７日付け意見書について
　
　平成２２年５月１７日付けの意見書において，審判請求人は次の主張をしている。
　
「（３）次に、旧請求項１、２、３に対して発せられた拒絶理由に対して、本願発明が特許を受けるべきものであることを説明いたします。
　本願発明の特徴（新請求項１）は、「ボードまたはスクリーン上のハンドヘルド装置の作動ストロークをデジタル化するための処理システムが補充されたボードまたはスクリーンとともに使用するハンドヘルド装置であって、（ａ）ほぼ円筒状の孔と連通する中央オリフィスを有するハウジングの末端部で終端する孔を内部に備え、前記中央オリフィスから作動先端部が延伸する取り外し可能な作動器具の本体の一部を前記中央オリフィスを介して受け入れ解放するハウジングであって、前記作動器具が、ドローイング器具およびアノテーション器具からなるグループから選択されるハウジングと、（ｂ）前記ハウジング内で前記取り外し可能な作動器具を解放可能に保持する前記ハウジング内にあるリテイナーと、（ｃ）断続的な超音波信号を受信または送信するために、前記ハウジングに接続される超音波レシーバまたはトランスミッタ装置とを具備し、前記超音波レシーバまたはトランスミッタ装置が、前記中央オリフィスを取り囲む筒状の超音波装置からなる」ことであり、
　特に重要なポイントは、「前記超音波レシーバまたはトランスミッタ装置が、前記中央オリフィスを取り囲む筒状の超音波装置からなる」ことであります。
　これにより、このハンドヘルド装置を、ボードまたはスクリーン上のハンドヘルド装置の作動ストロークをデジタル化するための処理システムが補充されたボードまたはスクリーンとともに使用する場合に、より正確にハンドヘルド装置の作動ストロークを検出することができるようになるものであります。
　（４）これに対しまして、引用文献１（特開昭６２−１６５２３４号）には、上記本願発明の特徴（新請求項１）の重要なポイントは、全く開示されておりません。
　より詳しく説明すれば、その第１図、第３図に示されているように、引用文献１（特開昭６２−１６５２３４号）では、確かに、リング形の振動子２１が開示されておりますが、このリング形の超音波振動子２１は、筒状とはなっておらず、後述するように、超音波を筆具１４の長手方向に沿って電子黒板７側に発信するような構造になっているものであります。
　以下に、本願発明の中央オリフィスを取り囲む筒状の超音波装置と、引用文献１のリング形の超音波振動子２１の本質的な相違について、参考図を参照して詳しく説明します。この参考図は、本願発明（図１５に対応）のハンドヘルド装置および引用文献１の筆具の特徴を模式的に示したものであります。
　
（［参考図］は省略。）
　
　まず、引用文献１のリング形の超音波振動子２１は、参考図の矢印ａに示すように、超音波を筆具１４の長手方向に沿って電子黒板７側に発信するようになっているものであります。これは、引用文献１の図３からも明らかなように、超音波振動子２１の高分子圧電フィルム２３が筆具１４の長手方向に対して垂直な方向に沿って設置され、この構成によれば、筆具１４の長手方向に電子黒板７に向かって超音波を発信することとなるものであります。これは、そもそも筆具１４よりの振動を電子黒板７が感知して筆具１４の作動を検出するようになっているためであります。
　これに対しまして、参考図の矢印ｂに示すように、本願発明の中央オリフィスを取り囲む筒状の超音波装置（超音波レシーバまたはトランスミッタ装置３１８）は、筒状の形態からも判るように、ハンドヘルド装置３００の長手方向に対して垂直な方向に超音波を発信するようになっているものであります。これは、そもそもハンドヘルド装置３００よりの超音波を、図１に示すようなプレゼンテーションボード１２の超音波レシーバアッセンブリ１４、１６、１８で検出するようになっているためであります。
　このように、本願発明と引用文献１とは、その使用形態が本質的に相違するものであり、そのために、それぞれの超音波装置の形態が相違してきているものであり、その相違は非常に大きな相違であると思われます。
　以上のように、本願発明は、上記引用文献（１．特開昭６２−１６５２３４号）により、その発明の属する技術の分野における通常の知識を有する者が容易に発明をすることができたものでないと思料するものであります。」
　
＜審判請求人の主張＞に対する当審の見解
　
　上記の審判請求人の主張を整理すると，
「引用文献（特開昭６２−１６５２３４号，「引用発明」）では，
リング形の
超音波を筆具１４の長手方向に沿って電子黒板７側に
　本願発明では，
中央オリフィスを取り囲む筒状の
ハンドヘルド装置３００の長手方向に対して垂直な方向に
　この相違により，本願発明は，より正確にハンドヘルド装置の作動ストロークを検出することができるようになるものである」旨（下線は当審が付与。）審判請求人は主張している。
　
　審判請求人の主張する本願発明と引用発明の相違に対する当審の見解は，上記の「＜相違点５＞について」に記載したとおりであって，ハンドヘルド装置の長手方向に対して垂直な方向に超音波を発信するようにすることは，格別なことではなく，引用発明の「ハンドヘルド装置」において，その長手方向に対して垂直な方向に超音波を発信するように「超音波振動子（超音波装置）」を「筒状」とすることは，当業者が容易に想到しうることである。
　また，上記特開平１０−１４９２５２号公報段落【００８８】には，「スタイラスペンのペン先から超音波受信機までの距離を正確に求めることができる。」との記載があるので，ハンドヘルド装置の長手方向に対して垂直な方向に超音波を発信することにより，「より正確にハンドヘルド装置の作動ストロークを検出することができるようになる」ことは，当業者が予測しうる事項である。
　
　よって，審判請求人の主張は採用できない。
　
　
　したがって，本願発明は，引用発明に基づいて，当業者が容易に発明をするこができたものである。
　
第５　まとめ
　
　以上のとおりであるから，本願発明（請求項１に係る発明）は，特許法第２９条第２項の規定により，特許を受けることができない。
　したがって，他の請求項について，論及するまでもなく，本願は拒絶すべきものである。
　
　よって，結論のとおり，審決する。